(57)【要約】 【課題】  外壁の基本性能を確保するとともに、外壁の軽量化を図り、さらに外装の意匠に経済的に対応することができる外壁構造を提供することを目的とする。【解決手段】  建物１の躯体４に取り付けられた鉄骨フレーム１１と、鉄骨フレーム１１に張り付けられた硅酸カルシウム板からなる下地材１２と、下地材１２の外面に張り付けられたセメントサイディング又はセメントボードの何れか一方からなる表層材２８とが備えられている。【選択図】      図１
2006188880.tif 000002
【特許請求の範囲】
【請求項１】
建物の躯体に取り付けられた鉄骨フレームと、該鉄骨フレームに張り付けられた硅酸カルシウム板からなる下地材と、前記下地材の外面に張り付けられたセメントサイディング又はセメントボードの何れか一方からなる表層材とが備えられていることを特徴とする外壁構造。
【請求項２】
請求項１記載の外壁構造において、
少なくとも、前記鉄骨フレームと前記下地材とが前記建物の各室毎にパネル化されて外壁パネルが形成されていることを特徴とする外壁構造。
【請求項３】
請求項２記載の外壁構造において、
前記建物の躯体には、複数の前記外壁パネルが互いに近接されて並設されており、
隣り合う前記外壁パネルの間には、少なくとも、隣り合う前記鉄骨フレームの間に介在された防水シールと、対向する前記下地材の小口面にそれぞれ貼着された防水テープとからなる止水部が形成されていることを特徴とする外壁構造。
【請求項４】
請求項２または３記載の外壁構造において、
前記下地材の外面には、隣接する外壁パネルまで延びて設けられて隣り合う外壁パネル間の隙間を塞ぐ防水シートが被覆され、
該防水シートは、前記外壁パネル間の箇所を弛ませて設置されていることを特徴とする外壁構造。
【請求項５】
請求項１から４のいずれか記載の外壁構造の施工方法において、
鉄骨フレームを建物の躯体に取り付ける工程と、前記鉄骨フレームに硅酸カルシウム板からなる下地材を張り付ける工程と、前記下地材の外面に、セメントサイディング又はセメントボードの何れか一方からなる表層材を張り付ける工程とを備えることを特徴とする外壁構造の施工方法。
【発明の詳細な説明】
【技術分野】
【０００１】
本発明は、建物の躯体に取り付けられる外壁構造およびその施工方法に関する。
【背景技術】
【０００２】
ホテル等の住居系建物の外壁は、止水性，耐風圧性，耐候性，耐火性，層間変位追随性，断熱性，遮音性の基本性能を確保することができるとともに、ある程度の外装意匠が可能な構造である必要である。したがって、従来、外壁として、在来ＲＣ，プレキャストコンクリート，ＡＬＣ等が選択されることが多い。
【０００３】
また、従来、外壁の止水性を確保するため、防水処理を施した外壁構造が提案されている。例えば、枠組壁工法によって外壁を構成する場合、外壁パネル（壁組）に防水シートを貼着するとともに、外壁パネル間に防水テープを貼着して防水処理を行うことで止水性を確保する（例えば、特許文献１参照。）。
【特許文献１】特許第３２７７３３２号公報
【発明の開示】
【発明が解決しようとする課題】
【０００４】
しかしながら、上記した従来の在来ＲＣ等を用いる外壁構造では、外壁の重量が重く、特に、埋立地等の軟弱地盤上に建物を構築する場合には杭や基礎に負担がかかるという問題が存在する。また、上記した従来の在来ＲＣ等を用いる外壁構造では、外装に下見板張り風の意匠を施す場合、特殊な型枠を製作する必要があるため、コストが高くなるという問題が存在する。さらに、上記した従来の防水処理を施した外壁構造では、例えば層間変位が生じた場合等、隣り合う外壁パネル間の隙間の幅が拡がったときに、外壁パネル間に貼着された防水テープが破断する虞があり、防水テープが破断すると止水性が保たれなくなるという問題が存在する。
【０００５】
本発明は、上記した従来の問題が考慮されたものであり、外壁の基本性能を確保するとともに、外壁の軽量化を図り、さらに外装の意匠に経済的に対応することができる外壁構造を提供することを目的としている。また、隣り合う外壁パネル間の隙間の幅が拡がったときにでも、外壁の止水性を確保することができる外壁構造を提供することを目的としている。
【課題を解決するための手段】
【０００６】
請求項１記載の発明は、建物の躯体に取り付けられた鉄骨フレームと、該鉄骨フレームに張り付けられた硅酸カルシウム板からなる下地材と、前記下地材の外面に張り付けられたセメントサイディング又はセメントボードの何れか一方からなる表層材とが備えられていることを特徴としている。
【０００７】
このような特徴により、外壁は、下地材が鉄骨フレームに張り付けられることで耐風圧性が確保され、下地材に硅酸カルシウム板が用いられることで耐火性、断熱性が確保されるとともに軽量化が実現される。また、表層材によって外装の意匠が形成されるとともに、耐候性が確保される。
【０００８】
請求項２記載の発明は、請求項１記載の外壁構造において、少なくとも、前記鉄骨フレームと前記下地材とが前記建物の各室毎にパネル化されて、前記鉄骨フレームと前記下地材とが一体に組み合わされた状態で前記建物の躯体外面に取り付けられる外壁パネルが形成されていることを特徴としている。
【０００９】
このような特徴により、建物各室の外壁は一枚の外壁パネルによってそれぞれ形成され、躯体伝播音が遮断されて遮音性が確保され、また、層間変位追随性および断熱性も確保される。
【００１０】
請求項３記載の発明は、請求項２記載の外壁構造において、前記建物の躯体には、複数の前記外壁パネルが互いに近接されて並設されており、隣り合う前記外壁パネルの間には、少なくとも、隣り合う前記鉄骨フレームの間に介在された防水シールと、対向する前記下地材の小口面にそれぞれ貼着された防水テープとからなる止水部が形成されていることを特徴としている。
【００１１】
このような特徴により、隣接する外壁パネルの間からの漏水が止水部によって防がれる。
【００１２】
請求項４記載の発明は、請求項２または３記載の外壁構造において、前記下地材の外面には、隣接する外壁パネルまで延びて設けられて隣り合う外壁パネル間の隙間を塞ぐ防水シートが被覆され、該防水シートは、前記外壁パネル間の箇所を弛ませて設置されていることを特徴としている。
【００１３】
このような特徴により、隣り合う外壁パネル間の隙間の幅が拡がったとき、防水シートの弛ませた部分が拡がりを許容するため、防水シートは破断することがない。
【００１４】
請求項５記載の発明は、請求項１から４のいずれか記載の外壁構造の施工方法において、鉄骨フレームを建物の躯体に取り付ける工程と、前記鉄骨フレームに硅酸カルシウム板からなる下地材を張り付ける工程と、前記下地材の外面に、セメントサイディング又はセメントボードの何れか一方からなる表層材を張り付ける工程とを備えることを特徴としている。
【００１５】
このような特徴により、上記した構成からなる外壁構造が構築される。
【発明の効果】
【００１６】
本発明に係る請求項１記載の外壁構造によれば、鉄骨フレームと、硅酸カルシウム板からなる下地材と、セメントサイディング又はセメントボードの何れか一方からなる表層材とが備えられた構成となっているため、外壁の軽量化が実現され、建物の杭や基礎にかかる負担を軽減することができ、経済的に性能の良い建物を提供することができる。
また、既製建材である表層材によって外装の意匠が形成されるため、塗り壁風、下見板張り風等の外装の意匠を経済的に形成することができる。
また、下地材が鉄骨フレームに張り付けられることで耐風圧性が確保され、下地材に硅酸カルシウム板が用いられることで耐火性、断熱性が確保され、下地材にセメントサイディング又はセメントボードの何れか一方からなる表層材が張り付けられることで耐候性が確保されるため、外壁の基本性能が確保できる。
【００１７】
また、請求項２記載の外壁構造によれば、鉄骨フレームと下地材とが建物の各室毎にパネル化されて外壁パネルが形成されていることで、建物各室の外壁は一枚の外壁パネルによってそれぞれ形成され、躯体伝播音が遮断されて遮音性が確保され、また、層間変位追随性および断熱性も確保されるため、在来ＲＣ壁と比較して同等以上の性能を確保することができる。
【００１８】
また、請求項３記載の外壁構造によれば、隣り合う外壁パネルの間に、隣り合う鉄骨フレーム間に介在された防水シールと、対向する下地材の小口面にそれぞれ貼着された防水テープとからなる止水部が形成されていることによって、隣接する外壁パネルの間からの漏水が止水部によって防がれるため、複数の外壁パネルからなる外壁の止水性を確保することができる。
【００１９】
また、請求項４記載の外壁構造によれば、隣接する外壁パネルまで延設された防水シートが下地材の外面に被覆され、この防水シートの外壁パネル間の箇所が弛ませてあることで、隣り合う外壁パネル間の隙間の幅が拡がったとき、防水シートの弛ませた部分が拡がり、防水シートは破断することがないため、外壁の止水性能の確実性を向上させることができる。
【００２０】
また、請求項５記載の外壁構造の施工方法によれば、鉄骨フレームを建物の躯体に取り付ける工程と、鉄骨フレームに硅酸カルシウム板からなる下地材を張り付ける工程と、下地材の外面に、セメントサイディング又はセメントボードの何れか一方からなる表層材を張り付ける工程とを備えるため、上述した外壁構造が構築することができる。
【発明を実施するための最良の形態】
【００２１】
以下、本発明に係る外壁構造およびその施工方法の実施の形態について、図面に基いて説明する。
【００２２】
図１は本発明に係る外壁構造およびその施工方法の実施の形態を表す斜視図であり、図２は本発明に係る外壁構造およびその施工方法の実施の形態を表す断面図である。
図１，図２に示すように、建物１は、鉄骨柱２及び鉄骨梁３からなる躯体４と、デッキプレート５の上に鉄筋コンクリート６が形成されてなるスラブ７と、パネル化された外壁８とから構成されている。また、建物１には、プレキャストコンクリートからなるバルコニー９が各階に備えられている。建物１内には、複数の居室１０が形成されており、各居室１０は、上下のスラブ７，外壁８及び図示せぬ内壁によって囲われている。
【００２３】
外壁８は、躯体４の外側に取り付けられた鉄骨フレーム１１と、鉄骨フレーム１１に張り付けられた下地材１２と、下地材１２の外面１２ａに張り付けられた表層材２８とから構成されている。
【００２４】
鉄骨フレーム１１と下地材１２とは、各居室１０毎にパネル化されており、これら鉄骨フレーム１１及び下地材１２によって、各居室１０の外部側の側面をそれぞれ塞ぐ外壁パネル１３が形成されている。一組の外壁パネル１３は、高さＨが階高さ（上下のスラブ７間の長さ）に相当し、幅Ｗが居室１０の幅（図では隣り合う鉄骨柱２間の距離）に相当している。一組の外壁パネル１３の上端部中央には、バルコニー９が嵌合される凹部１３ａが形成されている。また、外壁パネル１３の中央部には、矩形の開口部１３ｂが形成されており、この開口部１３ｂには図示せぬサッシが取り付けられている。外壁パネル１３は複数設けられており、躯体４の外側には、複数の外壁パネル１３が互いに近接されて並設されている。
【００２５】
鉄骨フレーム１１は、角形鋼管やリップ溝形鋼等からなる複数の縦部材１４と横部材１５とを格子状に組み合わせて形成されている。
【００２６】
図３は横並びに隣接する外壁パネル１３間の拡大断面図であり、図４は上下に隣接する外壁パネル１３間の拡大断面図である。
図１，図２，図３，図４に示すように、下地材１２は、鉄骨フレーム１１の外側面１１ａに張り付けられている。また、下地材１２は、二重の硅酸カルシウム板１６からなり、硅酸カルシウム板１６は、ビス２３ａ，２３ｂによって縦部材１４や横部材１５にそれぞれビス止めされて取り付けられている。また、下地材１２の両側および上下の小口面１２ｂは、鉄骨フレーム１１の側端面１１ｂや上下端面１１ｃと略面一になっている。
【００２７】
図２に示すように、外壁パネル１３は、上下の鉄骨梁３，３に受部材３０を介してそれぞれ連結されており、この受部材３０によって外壁パネル１３の荷重は支持されている。上側の受部材３０ａは、上側の鉄骨梁３の下フランジ３ａに垂設されたアングル等からなる躯体側部材３１ａと、外壁パネル１３上部の横部材１５に垂設されたアングル等からなるパネル側部材３２ａと、躯体側部材３１ａ及びパネル側部材３２ａを互いに連結させる高力ボルト等からなる締結手段３３ａとから構成されている。一方、下側の受部材３０ｂは、下側の鉄骨梁３の上フランジ３ｂに立設されたアングル等からなる躯体側部材３１ｂと、外壁パネル１３下部の横部材１５に垂設されたアングル等からなるパネル側部材３２ｂと、躯体側部材３１ｂ及びパネル側部材３２ｂを互いに連結させる高力ボルト等からなる締結手段３３ｂとから構成されている。躯体側部材３１ａ，３１ｂは、鉄骨梁３の下フランジ３ａや上フランジ３ｂに溶接接合されており、パネル側部材３２ａ，３２ｂは、横部材１５の下面に溶接接合されている。受部材３０は、一枚の外壁パネル１３に対して複数設けられており、上下方向のみならず横方向にも複数設けられていることが望ましい。
【００２８】
図３，図４に示すように、左右及び上下に隣り合う外壁パネル１３の間には、数十ミリ程度の隙間があけられており、この外壁パネル１３間には、隣接する外壁パネル１３間からの漏水を防止する止水部１７が形成されている。止水部１７は、隣り合う鉄骨フレーム１１の間に介在された防水シール１８と、対向する下地材１２の小口面１２ｂにそれぞれ貼着された防水テープ１９とから構成されている。
【００２９】
防水テープ１９は、例えば片面粘着のアクリル防水テープからなり、下地材１２の縁に沿って設けられている。防水テープ１９の幅は、下地材１２の小口面１２ｂの幅よりも大きく、防水テープ１９は、略中央部で「く」の字状に屈曲されている。防水テープ１９の一方の側部は、下地材１２の小口面１２ｂから数ミリ程度張り出されて鉄骨フレーム１１の側端面１１ｂや上下端面１１ｃに貼着され、他方の側部は、下地材１２の小口面１２ｂから数十ミリ程度張り出されて下地材１２の外面１２ａ端部に貼着されている。防水テープ１９が貼着される下地材１２の外面１２ａや小口面１２ｂ、又は鉄骨フレーム１１の側端面１１ｂや上下端面１１ｃには、防水テープ１９の剥離防止のためのプライマーが塗布されている。
【００３０】
防水シール１８は、例えば、二成分系の変成シリコーンシールからなり、隣り合う鉄骨フレーム１１の間に嵌め込まれたバックアップ材２０の上に打ち込まれ、防水シール１８は、対向する鉄骨フレーム１１側端面１１ｂ間およびに連続的に充填されている。防水シール１８は、鉄骨フレーム１１の外側面１１ａと略面一に形成されており、防水テープ１９の一方の端部を数ミリ程度被せるように形成され、防水テープ１９の一方の側部は防水シール１８内に埋め込まれた状態となっている。
【００３１】
下地材１２の外面１２ａには、下地材１２の外面１２ａにタッカー止めされた例えば防水透湿シート等からなる防水シート２１が被覆されている。防水シート２１は、外壁パネル１３よりも大きく形成されており、防水シート２１の端部は、隣接する外壁パネル１３まで延びて設けられ、防水シート２１によって隣り合う外壁パネル１３間の隙間が塞がれている。隣接する外壁パネル１３にそれぞれ被覆された防水シート２１の端部は、互いに数十ミリから数百ミリ程度ラップされている。また、防水シート２１は、外壁パネル１３間の隙間を横断する箇所２１ａが数十ミリ以上弛ませて設置されている。この弛みのある箇所２１ａは、防水テープ１９が貼着された対向する小口面１２ｂ間に折り曲げられている。
【００３２】
下地材１２の外面１２ａに張り付けられた表層材２８は、矩形板状のセメントサイディングからなり、複数のサイディングボード２２が下見板張り状に張り付けられて形成されている。サイディングボード２２は、下地材１２を貫通して鉄骨フレーム１１まで達したビス２４によって上下がそれぞれビス止めされて、下地材１２の外面１２ａに張り付けられている。ただし、図４に示すように、外壁パネル１３の最下端に張り付けられたサイディングボード２２は、上部のみがビス２４によってビス止めされている。このサイディングボード２２の下部は、下側の外壁パネル１３の最上端に張り付けられたサイディングボード２２の上に被せられているだけであり、上下に隣接する外壁パネル１３にそれぞれ張り付けられた表層材２８は、固定されてなく分離されている。
【００３３】
また、図３に示すように、横方向に隣接する外壁パネル１３にそれぞれ張り付けられた表層材２８の間には数十ミリ程度の隙間があけられ、横方向に隣接する外壁パネル１３間の隙間に対向する箇所に上下方向に延在する目地部２５が設けられている。この目地部２５には、例えばポリウレタンシールからなるシール部２６が形成されており、シール部２６は、隙間をあけて隣接するサイディングボード２２の小口面２２ａ間に隙間無く介在されている。
【００３４】
シール部２６の裏側には、例えばアクリル防水テープからなりシール部２６のシール受けとなるシール用押え材２７が設けられている。シール用押え材２７は、防水性を有する帯状のテープであり、横方向に隣接する外壁パネル１３間の隙間に沿って設けられている。シール用押え材２７は、横方向に隣接する外壁パネル１３間を跨いで設けられており、シール用押え材２７の両側部は、隣接する外壁パネル１３の下地材１２外面１２ａの端部にそれぞれ貼着されている。また、シール用押え材２７は、外壁パネル１３間の隙間を横断する箇所２７ａが数十ミリ以上弛ませて設置されている。
【００３５】
次に、上記した構成からなる外壁構造の施工方法について説明する。ここでは、上下階からなる複数階層の建物１を構築する場合を例に挙げて説明する。
【００３６】
まず、鉄骨柱２及び鉄骨梁３を組み立てて、下階部分の躯体４を形成する工程を行う。なお、このとき、上階部分の躯体４も同時に組み立てておいてもよい。
【００３７】
次に、下階部分の躯体４に鉄骨フレーム１１を取り付ける工程を行う。具体的には、先ず、鉄骨フレーム１１を躯体４に取り付けた際に上側の鉄骨梁３の下フランジ３ａに対向する横部材１５の所定位置にパネル側部材３２ａを溶接するとともに、最下段の横部材１５の所定位置にパネル側部材３２ｂを溶接する。また、上側の鉄骨梁３の下フランジ３ａに受部材３０ａの躯体側部材３１ａを溶接するとともに、下側の鉄骨梁３の上フランジ３ｂに受部材３０ｂの躯体側部材３１ｂを溶接する。次に、鉄骨フレーム１１を図示せぬ揚重機を用いて吊り上げて躯体４の外側の所定位置に配置する。そして、上側の鉄骨梁３の下フランジ３ａに溶接された躯体側部材３１ａと、鉄骨フレーム１１上部の横部材１５に溶接されたパネル側部材３２ａとを締結手段３３ａによって連結するとともに、下側の鉄骨梁３の上フランジ３ｂに溶接された躯体側部材３１ｂと、鉄骨フレーム１１下部の横部材１５に溶接されたパネル側部材３２ｂとを締結手段３３ｂによって連結し、鉄骨フレーム１１を躯体４に取り付ける。
【００３８】
上記のようにして、躯体４の外側に複数の鉄骨フレーム１１を取り付けて、複数の鉄骨フレーム１１を横方向に並設し、１フロア分の鉄骨フレーム１１を取り付ける。このとき、横方向に隣接する鉄骨フレーム１１間に適度な隙間をあけておく。
【００３９】
次に、上側の鉄骨梁３にデッキプレート５の端部を掛止させ、上側の鉄骨梁３で囲まれた範囲にデッキプレート５を敷設する。そして、外壁パネル１３の凹部１３ａにバルコニー９の基端部を嵌合させてバルコニー９を所定位置に配置する。このとき、バルコニー９の下には、バルコニー９を支持する図示せぬ支保工を設置する。バルコニー９設置後、デッキプレート５上に図示せぬスラブ筋を配筋し、配筋完了後にデッキプレート５上にコンクリートを打設し、上階のスラブ７を形成する。
【００４０】
次に、上階の鉄骨柱２及び鉄骨梁３を組み立てて、上階の躯体４を形成する。無論、下階部分の躯体４と同時に上階部分の躯体４を組み立てた場合は不要である。
次に、上階部分の躯体４に鉄骨フレーム１１を取り付ける工程を行う。外壁パネル１３の取付作業は、上述した下階部分の鉄骨フレーム１１の取付作業と同様にして行う。このとき、上下に隣接する鉄骨フレーム１１の間には適度な隙間をあけておく。
【００４１】
一方、躯体４に取り付けられた鉄骨フレーム１１にサッシを取り付ける工程を行う。具体的には、鉄骨フレーム１１の中央に形成された開口部１３ｂに図示せぬサッシを溶接して取り付ける。
【００４２】
次に、鉄骨フレーム１１に硅酸カルシウム板１６からなる下地材１２を張り付けて外壁パネル１３を形成する工程を行う。具体的には、鉄骨フレーム１１の外側面１１ａに硅酸カルシウム板１６に張り付けてビス２３ａでビス止めし、更にその上からもう一枚の硅酸カルシウム板１６を重ねてビス２３ｂでビス止めする。
【００４３】
次に、隣接する外壁パネル１３間の隙間に止水処理を施す工程を行う。具体的には、先ず、下地材１２の小口面１２ｂ，下地材１２の外面１２ａ端部、及び鉄骨フレーム１１の側端面１１ｂや上下端面１１ｃにそれぞれプライマーを塗布する。そして、防水テープ１９を「く」の字状に折り曲げた状態で下地材１２の縁に沿って貼着する。次に、隣接する鉄骨フレーム１１間の隙間にバックアップ材２０を嵌め込む。バックアップ材２０は、隣接する鉄骨フレーム１１の縦部材１４や横部材１５に沿って連続的に設ける。そして、バックアップ材２０が嵌め込まれた鉄骨フレーム１１間の隙間をシーリングし、鉄骨フレーム１１間の隙間に防水シール１８を形成する。
【００４４】
次に、外壁パネル１３の表面を防水シート２１で被覆する工程を行う。具体的には、下地材１２の外面１２ａに防水シート２１を張り付けてタッカー止めする。このとき、防水シート２１の端部を外壁パネル１３の端部から張り出させておき、防水シート２１の端部を隣りの外壁パネル１３の方まで延ばして張り付け、隣接する外壁パネル１３にそれぞれ被覆された防水シート２１の端部同士をラップさせる。また、防水シート２１は、隣接する外壁パネル１３間の隙間を横断する箇所２１ａを弛ませておく。
【００４５】
次に、横方向に隣接する外壁パネル１３間の隙間に沿ってシール用押え材２７を貼着する工程を行う。このとき、外壁パネル１３間の隙間を横断する箇所２７ａを弛ませておく。
【００４６】
次に、防水シート２１で被覆された下地材１２の外面１２ａに表層材２８を張り付ける工程を行う。具体的には、複数のサイディングボード２２をビス２４でビス止めし、下見板張り状に張り付けていく。表層材２８の端部は、上下に隣接する外壁パネル１３間では重ねられており、横方向に隣接する外壁パネル１３間では適度な隙間をあけて目地部２５が形成されている。
【００４７】
次に、横方向に隣接する外壁パネル１３間の目地部２５にシーリングする工程を行う。具体的には、シール用押え材２７をシール受けとし、間をあけて隣接するサイディングボード２２間の目地部２５にシーリングしてシール部２６を形成する。
最後に、表層材２８の表面を塗装する工程を行う。
【００４８】
上記した構成からなる外壁構造によれば、鉄骨フレーム１１と、硅酸カルシウム板１６からなる下地材１２と、セメントサイディングからなる表層材２８とが備えられた構成となっているため、外壁８の軽量化が実現される。これによって、建物１の杭や基礎にかかる負担を軽減することができ、経済的に性能の良い建物１を提供することができる。
【００４９】
また、既製建材であるセメントサイディングからなる表層材２８によって外装の意匠が形成されるため、下見板張り状の外壁８の外装意匠を経済的に形成することができる。
また、下地材１２が鉄骨フレーム１１に張り付けられることで耐風圧性が確保され、下地材１２に硅酸カルシウム板１６が用いられることで耐火性、断熱性が確保され、下地材１２にセメントサイディングからなる表層材２８が張り付けられることで耐候性が確保され、外壁８の基本性能が確保することができる。
【００５０】
また、鉄骨フレーム１１と下地材１２とが建物１の各居室１０毎にパネル化されて外壁パネル１３が形成されているため、各居室１０の外壁８は一枚の外壁パネル１３によってそれぞれ形成され、躯体伝播音が遮断されて遮音性が確保され、また、層間変位追随性および断熱性も確保される。これによって、上記した構成からなる外壁８は、在来ＲＣ壁と比較して同等以上の性能を確保することができる。
【００５１】
また、隣り合う外壁パネル１３の間に、隣り合う鉄骨フレーム１１間に介在された防水シール１８と、対向する下地材１２の小口面１２ｂにそれぞれ貼着された防水テープ１９とからなる止水部１７が形成されているため、隣接する外壁パネル１３の間からの漏水が止水部１７によって防がれる。これによって、複数の外壁パネル１３からなる外壁８の止水性を確保することができる。
【００５２】
また、隣接する外壁パネル１３まで延設された防水シート２１が下地材１２の外面１２ａに被覆されており、この防水シート２１の外壁パネル１３間の箇所２１ａが弛ませてあるため、隣り合う外壁パネル１３間の隙間の幅が拡がったときでも、防水シート２１の弛ませた箇所２１ａが拡がりを許容し、防水シート２１が破断することがない。これによって、外壁８の止水性能を確実に確保することができる。
【００５３】
また、上記した構成からなる外壁構造の施工方法によれば、鉄骨フレーム１１を建物１の躯体４に取り付ける工程と、鉄骨フレーム１１に下地材１２を張り付ける工程と、下地材１２の外面１２ａに、セメントサイディングからなる表層材２８を張り付ける工程とを備えるため、上述した構成からなる外壁構造が構築することができる。
【００５４】
以上、本発明に係る外壁構造およびその施工方法の実施の形態について説明したが、本発明は上記した実施の形態に限定されるものではなく、その趣旨を逸脱しない範囲で適宜変更可能である。例えば、上記した実施の形態では、セメントサイディングからなる表層材２８を用いているが、本発明は、図５に示すように、セメントボード１００からなる表層材１０１を用いてもよい。この場合、セメントボード１００には、シーリングするのに十分な厚さがあるため、隣接する外壁パネル１０２にそれぞれ張り付けられたセメントボード１００間にバックアップ材１０３を嵌め込み、このバックアップ材１０３の上にシーリングしてシール部１０４を形成することができる。したがって、シール部１０４の裏側にシール用押え材等を設ける必要はない。また、セメントボード１００の表面には、薄塗りモルタル１０５からなる塗装が行われる。なお、図５に示す符号１０７は鉄骨フレームを示し、符号１０８は防水シールを示し、符号１０９は防水テープを示し、符号１１０は防水シートを示している。
【００５５】
また、上記した実施の形態では、下地材１２が硅酸カルシウム板１６を二重張りして形成されているが、本発明は、図５に示すように、１枚の硅酸カルシウム板からなる下地材１０６でもよく、或いは３枚以上の硅酸カルシウム板を重ね合わせてもよい。
【図面の簡単な説明】
【００５６】
【図１】本発明に係る外壁構造およびその施工方法の実施の形態を説明するための斜視図である。
【図２】本発明に係る外壁構造およびその施工方法の実施の形態を説明するための断面図である。
【図３】本発明に係る外壁構造およびその施工方法の実施の形態を説明するための詳細断面図である。
【図４】本発明に係る外壁構造およびその施工方法の実施の形態を説明するための詳細断面図である。
【図５】本発明に係る外壁構造およびその施工方法のその他の実施の形態を説明するための詳細断面図である。
【符号の説明】
【００５７】
１  建物
４  躯体
１０  室（居室）
１１，１０７  鉄骨フレーム
１２，１０６  下地材
１３，１０２  外壁パネル
１６  硅酸カルシウム板
１７  止水部
１８，１０８  防水シール
１９，１０９  防水テープ
２１，１１０  防水シート
２８，１０１  表層材
１１０  セメントボード
【図１】
2006188880.tif 000003
【図２】
2006188880.tif 000004
【図３】
2006188880.tif 000005
【図４】
2006188880.tif 000006
【図５】
2006188880.tif 000007